(57)【要約】【課題】開閉カバー３を開放するための開放用押しボタン３０、および印字用紙（ラベル連続体４）の切断用のマニュアルカッターを兼用可能として、部品点数を少なくし、小型軽量で簡易に操作可能としたプリンターの用紙切断装置を提供すること。【解決手段】開放用押しボタン３０およびマニュアルカッターを一体化することに着目したもので、印字ヘッド２３（サーマルヘッド２３）との間に印字用紙４を挟持して回転するプラテンローラー２４と、プラテンローラー２４および印字ヘッド２３を互いに離反させるように操作する開放用押しボタン３０と、を有するプリンターの用紙切断装置であって、開放用押しボタン３０を印字ヘッド２４による印字済みの印字用紙４の発行口４６に臨ませるとともに、開放用押しボタン３０の下方側先端部を用紙切断用端部３９として形成していることを特徴とする。【選択図】図１
2014188706.tif 000002
【特許請求の範囲】
【請求項１】
プリンターハウジングと、
このプリンターハウジングに装填される印字用紙に印字可能な印字ヘッドと、
この印字ヘッドとの間に前記印字用紙を挟持して回転することにより前記印字用紙を移送可能なプラテンローラーと、
このプラテンローラーおよび前記印字ヘッドを互いに離反させるように操作する開放用押しボタンと、を有するプリンターの用紙切断装置であって、
前記開放用押しボタンを前記印字ヘッドによる印字済みの前記印字用紙の発行口に臨ませるとともに、
前記開放用押しボタンの下方側先端部を用紙切断用端部として形成していることを特徴とするプリンターの用紙切断装置。
【請求項２】
前記開放用押しボタンの前記用紙切断用端部は、前記印字ヘッドおよび前記プラテンローラーとの間から前記発行口に発行されてくる前記印字用紙に対向可能であることを特徴とする請求項１記載のプリンターの用紙切断装置。
【請求項３】
前記印字ヘッドを前記プラテンローラーに押し付けるヘッド付勢スプリングを設け、
このヘッド付勢スプリングの付勢力に抗して前記開放用押しボタンを前記プリンターハウジングに対して操作することにより、前記印字ヘッドおよび前記プラテンローラーを互いに離反可能としていることを特徴とする請求項１または２記載のプリンターの用紙切断装置。
【請求項４】
前記印字ヘッドは、これを前記プリンターハウジングに取り付けるとともに、前記プラテンローラーは、前記プリンターハウジングに開閉可能に設けた開閉カバーにこれを回転可能に取り付け、
前記開放用押しボタンの操作によりこの開閉カバーを前記プリンターハウジングに対して開放して前記印字ヘッドから前記プラテンローラーを離反させることを特徴とする請求項１ないし３のいずれかに記載のプリンターの用紙切断装置。
【請求項５】
前記用紙切断用端部に、金属プレートを取り付けていることを特徴とする請求項１ないし４のいずれかに記載のプリンターの用紙切断装置。
【発明の詳細な説明】
【技術分野】
【０００１】
本発明はプリンターの用紙切断装置にかかるもので、とくに部品点数を削減したプリンターの用紙切断装置に関するものである。
【背景技術】
【０００２】
従来から、卓上型プリンターや携帯式プリンターなど各種のプリンターに帯状のラベル連続体その他の印字用紙を装填するために、開閉カバーなどを開放して、そのプリンターハウジング内に印字用紙を収納する必要がある。
この開閉カバーなどの開放のために操作する開放用押しボタンを設けたプリンターが提案されている。
【０００３】
一方、印字発行された印字用紙を手動により所定の長さに切断することが必要であり、この切断のための、いわゆるマニュアルカッターを備えておくことも必要である。
【０００４】
しかしながら、プリンターとして、開閉カバーの開放用押しボタンとマニュアルカッターとを別々に設けることは、装置の複雑化および大型化を招くという問題があり、とくに携帯式プリンターは、小型軽量で簡易に扱えることが望ましく、極力部品点数を少なく、かつ構造を簡略化しなければならないという問題がある。
【先行技術文献】
【特許文献】
【０００５】
【特許文献１】実開昭６４−２２４４９号公報
【発明の概要】
【発明が解決しようとする課題】
【０００６】
本発明は以上のような諸問題にかんがみなされたもので、部品点数を少なくし、装置を複雑化することなく、小型軽量で簡易に操作することができるプリンターの用紙切断装置を提供することを課題とする。
【０００７】
また本発明は、開放用押しボタンおよびマニュアルカッターの構成を簡略化したプリンターの用紙切断装置を提供することを課題とする。
【０００８】
また本発明は、開閉カバーを開放するための開放用押しボタン、および印字用紙の切断用のマニュアルカッターを兼用可能としたプリンターの用紙切断装置を提供することを課題とする。
【課題を解決するための手段】
【０００９】
すなわち本発明は、開放用押しボタンおよびマニュアルカッターを一体化することに着目したもので、プリンターハウジングと、このプリンターハウジングに装填される印字用紙に印字可能な印字ヘッドと、この印字ヘッドとの間に上記印字用紙を挟持して回転することにより上記印字用紙を移送可能なプラテンローラーと、このプラテンローラーおよび上記印字ヘッドを互いに離反させるように操作する開放用押しボタンと、を有するプリンターの用紙切断装置であって、上記開放用押しボタンを上記印字ヘッドによる印字済みの上記印字用紙の発行口に臨ませるとともに、上記開放用押しボタンの下方側先端部を用紙切断用端部として形成していることを特徴とするプリンターの用紙切断装置である。
【００１０】
上記開放用押しボタンの上記用紙切断用端部は、上記印字ヘッドおよび上記プラテンローラーとの間から上記発行口に発行されてくる上記印字用紙に対向可能であることができる。
【００１１】
上記印字ヘッドを上記プラテンローラーに押し付けるヘッド付勢スプリングを設け、このヘッド付勢スプリングの付勢力に抗して上記開放用押しボタンを上記プリンターハウジングに対して操作することにより、上記印字ヘッドおよび上記プラテンローラーを互いに離反可能としていることができる。
【００１２】
上記印字ヘッドは、これを上記プリンターハウジングに取り付けるとともに、上記プラテンローラーは、上記プリンターハウジングに開閉可能に設けた開閉カバーにこれを回転可能に取り付け、上記開放用押しボタンの操作によりこの開閉カバーを上記プリンターハウジングに対して開放して上記印字ヘッドから上記プラテンローラーを離反させることができる。
【００１３】
上記用紙切断用端部に、金属プレートを取り付けていることができる。
【発明の効果】
【００１４】
本発明によるプリンターの用紙切断装置においては、開放用押しボタンを印字ヘッドによる印字済みの印字用紙の発行口に臨ませるとともに、開放用押しボタンの下方側先端部を用紙切断端部として形成しているので、開放用押しボタンおよびマニュアルカッターを一体化し、部品点数を削減し、プリンターとくに携帯式プリンターの小型軽量化を実現することができる。
【図面の簡単な説明】
【００１５】
【図１】本発明の第１の実施例による用紙切断装置１５を備えた携帯式プリンター１の概略縦断面図である。
【図２】同、開放用押しボタン３０（用紙切断装置１５）部分の要部断面図である。
【図３】同、開放用押しボタン３０の斜視図である。
【図４】本発明の第２の実施例による用紙切断装置５０における開放用押しボタン３０（用紙切断装置５０）部分の要部断面図である。
【発明を実施するための形態】
【００１６】
本発明は、開放用押しボタンを印字用紙の発行口に臨ませるとともに、開放用押しボタンおよびマニュアルカッターを一体化したので、構成を簡略化し、小型軽量とすることができるプリンターの用紙切断装置を実現した。
【実施例】
【００１７】
つぎに本発明の第１の実施例によるプリンターの用紙切断装置を図１ないし図３にもとづき説明する。
図１は、上記プリンターたとえば携帯式プリンター１の概略縦断面図であって、携帯式プリンター１は、サーマルプリンターとしてこれを構成してあり、プリンターハウジング２と、開閉カバー３と、ラベル連続体４（印字用紙）の供給部５と、位置検出部６と、印字部７と、充電バッテリー８のバッテリー収納室９と、アダプター接続端子１０と、入力部１１と、表示部１２と、制御部１３と、電源スイッチ１４と、用紙切断装置１５と、を有する。
【００１８】
プリンターハウジング２は、作業者が携帯可能な大きさを有し、図１中、上方にベルト掛け部１６を設けて、肩掛けベルト１７により携帯式プリンター１全体を作業者の肩から吊り下げ可能としている。もちろん、作業者の腰に装着可能とする構成とすることもできる。
さらにプリンターハウジング２には、図１中、下方隅部に位置したカバー軸１８のまわりに上記開閉カバー３を開閉可能に設けて、供給部５へのラベル連続体４の収納および携帯式プリンター１への装填を可能としている。
【００１９】
ラベル連続体４は、帯状の台紙１９上に複数枚のラベル片２０を仮着した構成である。ラベル片２０は、いわゆるサーマルラベルであって、その表面に感熱発色層を塗工して、印字可能としてある。
供給部５は、ラベル連続体４をロール状に巻いてその内部に収納し、位置検出部６および印字部７方向に帯状に繰り出し可能としている。
なお、台紙１９の裏面側には、所定ピッチで位置検出用マーク２１をあらかじめ印刷してある。
【００２０】
位置検出部６は、開閉カバー３側に取り付けた位置検出センサー２２を有し、ラベル連続体４の裏面側に位置する位置検出用マーク２１を検出して印字部７に対するラベル連続体４（ラベル片２０）の相対位置を検出可能とする。
【００２１】
印字部７は、プリンターハウジング２側に取り付けたサーマルヘッド２３（印字ヘッド）と、開閉カバー３側に取り付けたプラテンローラー２４と、サーマルヘッド２３をプラテンローラー２４方向に付勢するヘッド付勢スプリング２５と、駆動モーター２６と、を有する。
プラテンローラー２４のプラテンローラー軸２７の一方側端部にはプラテンローラーギア２８を設けるとともに、駆動モーター２６の回転を伝達するための連結ギア２９を設け、開閉カバー３のプリンターハウジング２への閉鎖により、プラテンローラーギア２８と連結ギア２９とを係合させて、駆動モーター２６によりプラテンローラー２４を回転駆動可能としている。
【００２２】
すなわち、サーマルヘッド２３およびプラテンローラー２４の間にラベル連続体４を挟持して、駆動モーター２６によりプラテンローラー２４を回転駆動するとともに、制御部１３からサーマルヘッド２３に供給した印字データに応じてサーマルヘッド２３の発熱素子（図示せず）を発熱させ、ラベル連続体４（ラベル片２０）にサーマル印字を行う。
【００２３】
プリンターハウジング２には開放用押しボタン３０を設け、開放用押しボタン３０をプリンターハウジング２の内方に押し込むように操作することにより、ヘッド付勢スプリング２５の付勢力に抗して、サーマルヘッド２３をそのヘッド軸３１のまわりに図１中、反時計方向に回動させてプラテンローラー２４をサーマルヘッド２３から離反させ、サーマルヘッド２３およびプラテンローラー２４の間にラベル連続体４を挿通装填可能とする。
既述のように、開閉カバー３にはプラテンローラー２４および位置検出センサー２２を取り付けてあり、開閉カバー３のプリンターハウジング２からの開放回動にともなってサーマルヘッド２３から離反する。
【００２４】
充電バッテリー８は、バッテリー収納室９に収脱可能であって、上述の印字部７（サーマルヘッド２３および駆動モーター２６など）はもちろん、携帯式プリンター１全体に電力を供給する。
【００２５】
アダプター接続端子１０は、プリンターハウジング２にこれを設け、外部電源（図示せず）に接続して充電バッテリー８に充電するためのＡＣアダプター３２を接続する。
【００２６】
入力部１１は、携帯式プリンター１に必要なデータないしコマンドを入力可能とする。
表示部１２は、入力部１１により入力された情報およびその他必要な情報を表示可能とする。
【００２７】
制御部１３は、電子基板などにこれを設けてあり、上述の位置検出部６、印字部７、充電バッテリー８、アダプター接続端子１０、入力部１１、表示部１２および電源スイッチ１４との間でデータおよびコマンドの授受を行うとともに、これらを適宜制御する。
【００２８】
なお、携帯式プリンター１においては、落下などによる衝撃に対する耐性を確保するために、とくにプリンターハウジング２の表面側に位置している入力部１１、表示部１２、電源スイッチ１４、用紙切断装置１５（開放用押しボタン３０）、開閉カバー３などを配置している領域面をプリンターハウジング２の他の領域面（図示の例では、プリンターハウジング２の稜縁部）から凹ませるとともに、当該他の領域面にエラストマーその他の衝撃吸収性材料によるクッション材３３を設けている。
また、直方体形状のプリンターハウジング２における他の稜縁部にも同様に、クッション材３３を設けて携帯式プリンター１全体の耐衝撃性を確保している。
【００２９】
本実施例にかかる用紙切断装置１５は、上述した開放用押しボタン３０の部分にこれを設けている。
図２は、開放用押しボタン３０（用紙切断装置１５）部分の要部断面図、図３は、開放用押しボタン３０の斜視図であり、用紙切断装置１５において、開放用押しボタン３０は、ボタン本体３４と、ボタン本体３４の周縁部の全周をめぐってこれに形成した防水用密着面３５と、ボタン本体３４に一体に形成したそのボタン軸３６および弾性体としてのボタン付勢スプリング３７と、ボタン本体３４の裏面側に突出して形成した押込み用突出部３８（図２）と、防水用密着面３５の下方側先端部に形成した用紙切断用端部３９と、を有する。
【００３０】
ボタン本体３４は、図１に示したようにプリンターハウジング２の表面側に露出する部分であって、携帯式プリンター１を使用する作業者がプリンターハウジング２の内方（図２中、右方から左方）に向かって押し込む部分である。
【００３１】
防水用密着面３５は、ボタン本体３４より相対的にプリンターハウジング２の内方側に凹んだ状態でこれを形成してプリンターハウジング２の内側に入り込むことができるとともに、プリンターハウジング２の内壁面２Ａに密着可能な平面領域である。
ただし、防水用密着面３５は、とくに図３に示すように、サーマルヘッド２３の長さ方向（ラベル連続体４の幅方向）に沿ってより長く庇のように延びており、サーマルヘッド２３の発熱素子２３Ａ（図２）のすべてを覆うことができるようにしているとともに、その下方側先端部である用紙切断用端部３９がラベル連続体４を幅方向に沿って切断可能である。
【００３２】
左右一対のボタン軸３６は、プリンターハウジング２の内部ブラケット（図示せず）にこれを軸着し、ボタン本体３４の押込み操作により、開放用押しボタン３０全体を回動可能としている。
【００３３】
左右一対のボタン付勢スプリング３７は、防水用密着面３５と同一平面内で蛇行させて開放用押しボタン３０の端部にこれを形成しており、ボタン本体３４からボタン軸３６をこえた部位に位置するそれぞれの端部に当接軸部４０を起立させている。
とくに図２に示すように、それぞれの当接軸部４０がプリンターハウジング２の内壁面２Ａに当接して、左右一対のボタン付勢スプリング３７が撓むことにより、その付勢力を発揮して開放用押しボタン３０の防水用密着面３５をプリンターハウジング２の内壁面２Ａに密着可能とする。
換言すれば、開放用押しボタン３０のボタン軸３６は、ボタン付勢スプリング３７と防水用密着面３５との間に位置してこれを設けて、防水用密着面３５がプリンターハウジング２の内壁面２Ａに密着させるように、ボタン付勢スプリング３７が開放用押しボタン３０を付勢可能としている。
なおボタン付勢スプリング３７を蛇行して形成することにより、所定の付勢力を得るための必要な長さを狭い空間内で得ることが可能となり、かつ、ボタン本体３４と一体形成することにより、とくに小型軽量に製造する必要があるこの種携帯式プリンター１に有利である。
【００３４】
図２（１）、（２）、（３）は、開放用押しボタン３０のボタン本体３４およびボタン付勢スプリング３７を模式的に描いた平面説明図である。ただし、ボタン付勢スプリング３７の可撓性は、それぞれ同程度とする。
図２（１）は、ボタン付勢スプリング３７の当接軸部４０がプリンターハウジング２の内壁面２Ａに当接する場合の説明図であって、ボタン付勢スプリング３７による付勢力は、後述する図２（２）および図２（３）の場合よりも小さい。
図２（２）は、ボタン付勢スプリング３７に当接軸部４０を形成せずに、そのスプリング先端部分３７Ａ（図中、ハッチングで示している部分）がプリンターハウジング２の内壁面２Ａに当接する場合（あるいは、ボタン付勢スプリング３７に当接軸部４０を形成してもプリンターハウジング２の内壁面２Ａに係合凹部（図示せず）を形成して、当接軸部４０がこの係合凹部に係合する場合）の説明図であって、ボタン付勢スプリング３７による付勢力は、中程度である（図２（１）の場合よりも強く、図２（３）の場合よりも弱い）。
図２（３）は、ボタン付勢スプリング３７に当接軸部４０を形成せずに、ボタン付勢スプリング３７全体（図中、ハッチングで示している部分）がプリンターハウジング２の内壁面２Ａに当接する場合の説明図であって、ボタン付勢スプリング３７による付勢力は、図２（２）および図２（３）の場合よりも大きい。
すなわち、プリンターハウジング２の内壁面２Ａに対するボタン付勢スプリング３７の付勢態勢ないしは当接領域を選択することにより、防水用密着面３５に要請される防水機能の程度に応じて必要な付勢力を適宜設計することができる。
【００３５】
とくに図２に示すように、開放用押しボタン３０の裏面側（プリンターハウジング２の内方側）には、前記サーマルヘッド２３を保持しているカバーロック４１を前記ヘッド軸３１のまわりに回動可能に設けている。
カバーロック４１には、その上縁部中央に位置して、押込み用突出部３８に対向する部位に当接傾斜プレート４２を一体形成して設けるとともに、サーマルヘッド２３を介して反対側に断面ほぼ半円弧状の左右一対のプラテンローラーロック係合部４３を形成している。
プラテンローラーロック係合部４３にはプラテンローラー２４の左右一対のロックピン４４（図１）が係脱可能である。ロックピン４４がプラテンローラーロック係合部４３に係合した状態で、プラテンローラー２４がサーマルヘッド２３に所定押圧力（印字圧力）で当接可能であり、その間に挟持するラベル連続体４への印字が可能な状態となる。
【００３６】
ボタン本体３４の裏面側に位置する押込み用突出部３８は、このカバーロック４１の当接傾斜プレート４２に対向しており、ボタン付勢スプリング３７の付勢力に抗したボタン軸３６まわりの開放用押しボタン３０の図２中、時計方向の回動により、押込み用突出部３８が当接傾斜プレート４２を押圧し、さらにヘッド付勢スプリング２５の付勢力に抗してヘッド軸３１まわりにカバーロック４１をサーマルヘッド２３とともに図２中、反時計方向に回動させる。
したがって、プラテンローラー２４のロックピン４４がカバーロック４１のプラテンローラーロック係合部４３から離脱した状態となり、サーマルヘッド２３およびプラテンローラー２４とを互いに離反させ、その間にラベル連続体４を装填可能となる。
【００３７】
また、プラテンローラーロック係合部４３の上方端部には、テーパー面４５を形成してあり、開閉カバー３の閉鎖作動時にプラテンローラー２４のロックピン４４がテーパー面４５に当接したのち、プラテンローラーロック係合部４３に係合しやすくしている。
【００３８】
とくに図２および図３に示すように、用紙切断用端部３９は、開放用押しボタン３０における防水用密着面３５の下方側先端部からこれを形成し、サーマルヘッド２３およびプラテンローラー２４の間から発行口４６に移送されてきたラベル連続体４に用紙切断用端部３９が対向し、所定の部位でラベル連続体４（台紙１９、ラベル片２０）を切断可能である。
なお、開放用押しボタン３０（用紙切断用端部３９）の材料としては、ラベル連続体４その他の印字用紙の種類に応じて、一般的には所定の剛性および弾性を有する合成樹脂材料を採用することができる。
【００３９】
さらに、とくに図１に示すように、当該携帯式プリンター１は、サーマルヘッド２３がプラテンローラー２４より上方に位置するようにこれを携帯可能であるとともに、とくに図２に示すように、開放用押しボタン３０の下方側先端部（用紙切断用端部３９）は、開閉カバー３より外方側に位置している。
すなわち、用紙切断用端部３９が開閉カバー３の先端部の外表面より、わずかに（図２に示す間隔Ｄ）分だけ外方側に位置していることにより、雨天その他の時に開放用押しボタン３０を伝って水滴Ｗが用紙切断用端部３９に至っても、庇のように出ている用紙切断用端部３９から開閉カバー３に触れることなく地上に垂れ落ちるのみであり、プリンターハウジング２内に侵入するおそれは軽減されている。
また、発行口４６に印字発行されてくるラベル連続体４は、発行口４６の外方側で用紙切断用端部３９に対向するので、用紙切断用端部３９の部分におけるラベル連続体４の切断操作を容易かつ確実に行うことができる。
【００４０】
こうした構成の携帯式プリンター１において、ボタン付勢スプリング３７（図２）の付勢力に抗して開放用押しボタン３０をプリンターハウジング２の内方に押し込むことにより、押込み用突出部３８がカバーロック４１の当接傾斜プレート４２を、ヘッド付勢スプリング２５の付勢力に抗してヘッド軸３１まわりに図２中、反時計方向に回動させ、プラテンローラーロック係合部４３とロックピン４４との係合を解除して、開閉カバー３とともにプラテンローラー２４をサーマルヘッド２３から離反した開放状態とする。
この開放状態で供給部５内にロール状のラベル連続体４を収納し、開閉カバー３をプリンターハウジング２方向に閉鎖すればプラテンローラー２４のロックピン４４がカバーロック４１のテーパー面４５に当接する。ヘッド付勢スプリング２５の付勢力に抗して開閉カバー３（プラテンローラー２４）をさらに閉鎖方向に押し込めば、ロックピン４４がプラテンローラーロック係合部４３に係合するに至り、開閉カバー３を閉鎖し、またサーマルヘッド２３およびプラテンローラー２４を互いに押圧した状態とすることができる。
【００４１】
このような開閉カバー３の閉鎖状態においては、用紙切断装置１５における開放用押しボタン３０は、そのボタン本体３４は外部に露出しているが、かつその開放操作自体は確保されているが、ボタン付勢スプリング３７の付勢力により防水用密着面３５がプリンターハウジング２の内壁面２Ａに所定押圧力で密着しているため、この部分からの水の侵入を防止可能である。
すなわち、開放用押しボタン３０の部分は、印字部７のサーマルヘッド２３さらには制御部１３に至る部分に隣り合っているため、上述の防水機能を果たすことにより、印字部７や制御部１３の故障の頻度を低下させ、野外での携帯式プリンター１の使用にあたっても操作の安定性を確保可能である。
【００４２】
さらに、上述のように本実施例による用紙切断装置１５においては、開放用押しボタン３０がラベル連続体４の発行口４６に臨むその下方側端部を用紙切断用端部３９としているので、印字済みのラベル連続体４の所定の部位を用紙切断用端部３９に当てた状態で引きちぎるように操作すれば、ラベル連続体４を手動により容易に切断することができる。
なお、開閉カバー３を開放するために開放用押しボタン３０を操作する際に、その下方側端部である用紙切断用端部３９の位置は所定の部位からずれることにはなるが、ラベル連続体４の切断操作時に開放用押しボタン３０を操作することはないので、切断操作自体に支障はない。
【００４３】
かくして、開閉カバー３およびプラテンローラー２４の開放のための開放用押しボタン３０に用紙切断用端部３９を一体的に形成したので、部品点数を削減し、携帯式プリンター１全体の小型軽量化に寄与することができる。
もちろん、卓上型プリンターその他のプリンターにも本発明による用紙切断装置を採用することが可能である。
【００４４】
つぎに図４は、本発明の第２の実施例による用紙切断装置５０における開放用押しボタン３０（用紙切断装置５０）部分の要部断面図であって、この用紙切断装置５０においては、図２および図３で既述した開放用押しボタン３０の用紙切断用端部３９の内方側縁部に金属プレート５１をその幅方向全域にわたって取り付けている。
したがって、この用紙切断装置５０では、用紙切断用端部３９に代わって、金属プレート５１の下方側先端部が、ラベル連続体４を手動で切断するための用紙切断用端部５２として機能することになる。
金属プレート５１の材料は、任意であるが、一般的なステンレス材などを採用可能である。
【００４５】
なお、図４（１）、（２）、（３）は、図２（１）、（２）、（３）と同様の、開放用押しボタン３０のボタン本体３４およびボタン付勢スプリング３７を模式的に描いた平面説明図であって、図２（１）、（２）、（３）にもとづいて述べたと同様に、プリンターハウジング２の内壁面２Ａに対するボタン付勢スプリング３７の付勢態勢ないしは当接領域を選択することにより、防水用密着面３５に要請される防水機能の程度に応じて必要な付勢力を適宜設計することができる。
【００４６】
こうした構成の用紙切断装置５０においても、印字済みのラベル連続体４が移送されてくる発行口４６に金属プレート５１の用紙切断用端部５２が臨むことになるので、ラベル連続体４の切断操作をより容易に行うことができ、既述のような携帯式プリンター１（図１）に装備してその部品点数を削減し、小型軽量化に寄与することができる。
【符号の説明】
【００４７】
１  携帯式プリンター（プリンター、図１）
２  プリンターハウジング
２Ａ  プリンターハウジング２の内壁面（図２）
３  開閉カバー
４  ラベル連続体（印字用紙）
５  供給部
６  位置検出部
７  印字部
８  充電バッテリー
９  バッテリー収納室
１０  ＡＣアダプター３２を接続するアダプター接続端子
１１  入力部
１２  表示部
１３  制御部
１４  電源スイッチ
１５  携帯式プリンター１の用紙切断装置（第１の実施例、図２）
１６  ベルト掛け部
１７  肩掛けベルト
１８  開閉カバー３のカバー軸
１９  ラベル連続体４の台紙
２０  ラベル片
２１  位置検出用マーク
２２  位置検出センサー
２３  サーマルヘッド（印字ヘッド）
２３Ａ  サーマルヘッド２３の発熱素子（図２）
２４  プラテンローラー
２５  ヘッド付勢スプリング
２６  駆動モーター
２７  プラテンローラー２４のプラテンローラー軸
２８  プラテンローラー２４のプラテンローラーギア
２９  連結ギア
３０  開放用押しボタン
３１  サーマルヘッド２３のヘッド軸
３２  ＡＣアダプター
３３  エラストマーなどによるクッション材
３４  開放用押しボタン３０のボタン本体
３５  開放用押しボタン３０の防水用密着面
３６  開放用押しボタン３０のボタン軸
３７  開放用押しボタン３０のボタン付勢スプリング
３７Ａ  ボタン付勢スプリング３７のスプリング先端部分（図２（２）、図４（２））
３８  開放用押しボタン３０の押込み用突出部
３９  開放用押しボタン３０の用紙切断用端部（下方側先端部）
４０  ボタン付勢スプリング３７の当接軸部
４１  カバーロック
４２  カバーロック４１の当接傾斜プレート
４３  プラテンローラーロック係合部
４４  プラテンローラー２４のロックピン
４５  テーパー面
４６  印字済みのラベル連続体４の発行口
５０  携帯式プリンター１の用紙切断装置（第２の実施例、図４）
５１  金属プレート
５２  金属プレート５１の用紙切断用端部（下方側先端部）
Ｄ    開放用押しボタン３０の用紙切断用端部３９と開閉カバー３の先端部の外表面との間の間隔（図２）
Ｗ    雨天その他の時に開放用押しボタン３０を伝って用紙切断用端部３９に至る水滴
【図１】
2014188706.tif 000003
【図２】
2014188706.tif 000004
【図３】
2014188706.tif 000005
【図４】
2014188706.tif 000006